【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
選択可能な複数の解像度のうちのいずれかの解像度で映像信号を出力する出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置であって、
前記出力装置から入力される映像信号を前記第２の表示モードで前記表示部に表示する場合に、前記出力装置が選択可能な複数の解像度を示す情報を、前記出力装置から取得する取得手段と、
前記出力装置から入力される映像信号を前記表示部に表示する表示サイズに応じて、前記出力装置が選択可能な複数の解像度の中から１つの解像度を選択する選択手段と、
前記選択手段により選択された解像度で映像信号を出力するように指示する切り換え情報を、前記出力装置に送信する切り換え情報送信手段と、
前記出力装置から入力される前記選択された解像度の映像信号を前記表示部に表示する表示制御手段と、
を有することを特徴とする表示装置。
【請求項２】
前記選択手段は、前記出力装置が選択可能な複数の解像度のうち、前記出力装置から入力される映像信号を前記表示部に表示する表示サイズに対応する解像度に最も近く、かつ当該表示サイズに対応する解像度以上の解像度を選択する
ことを特徴とする請求項１に記載の表示装置。
【請求項３】
前記出力装置から出力される映像信号は、ＨＤＭＩ形式またはＤＶＩ形式のケーブルを介して、前記表示装置に入力される
ことを特徴とする請求項１または請求項２に記載の表示装置。
【請求項４】
選択可能な複数の解像度のうちのいずれかの解像度で映像信号を出力する出力装置と、当該出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置とを含むシステムであって、
前記表示装置は、
前記出力装置から入力される映像信号を前記第２の表示モードで前記表示部に表示する場合に、前記出力装置が選択可能な複数の解像度を示す情報を、前記出力装置から取得する取得手段と、
前記出力装置から入力される映像信号を前記表示部に表示する表示サイズに応じて、前記出力装置が選択可能な複数の解像度の中から１つの解像度を選択する選択手段と、
前記選択手段により選択された解像度で映像信号を出力するように指示する切り換え情報を、前記出力装置に送信する切り換え情報送信手段と、
前記出力装置から入力される前記選択された解像度の映像信号を前記表示部に表示する表示制御手段と、
を有し、
前記出力装置は、
前記選択可能な複数の解像度を示す情報を前記表示装置に送信する送信手段と、
前記切り換え情報を前記表示装置から受信する受信手段と、
前記切り換え情報により指示された解像度で前記表示装置に映像信号を出力する出力手段と、
を有する
ことを特徴とするシステム。
【請求項５】
選択可能な複数の解像度のうちのいずれかの解像度で映像信号を出力する出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示する表示装置の制御方法であって、
前記出力装置から入力される映像信号を前記第２の表示モードで前記表示部に表示する場合に、前記出力装置が選択可能な複数の解像度を示す情報を、前記出力装置から取得する取得ステップと、
前記出力装置から入力される映像信号を前記表示部に表示する表示サイズに応じて、前記出力装置が選択可能な複数の解像度の中から１つの解像度を選択する選択ステップと、
前記選択ステップにより選択された解像度で映像信号を出力するように指示する切り換え情報を、前記出力装置に送信する切り換え情報送信ステップと、
前記出力装置から入力される前記選択された解像度の映像信号を前記表示部に表示する表示制御ステップと、
を有することを特徴とする表示装置の制御方法。
【請求項６】
選択可能な複数の解像度のうちのいずれかの解像度で映像信号を出力する出力装置と、当該出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置とを含むシステムの制御方法であって、
前記出力装置が、前記選択可能な複数の解像度を示す情報を前記表示装置に送信する送信ステップと、
前記表示装置が、前記出力装置から入力される映像信号を前記第２の表示モードで前記表示部に表示する場合に、前記出力装置が選択可能な複数の解像度を示す情報を、前記出力装置から取得する取得ステップと、
前記表示装置が、前記出力装置から入力される映像信号を前記表示部に表示する表示サイズに応じて、前記出力装置が選択可能な複数の解像度の中から１つの解像度を選択する選択ステップと、
前記表示装置が、前記選択ステップにより選択された解像度で映像信号を出力するように指示する切り換え情報を、前記出力装置に送信する切り換え情報送信ステップと、
前記出力装置が、前記切り換え情報を前記表示装置から受信する受信ステップと、
前記出力装置が、前記切り換え情報により指示された解像度で前記表示装置に映像信号
を出力する出力ステップと、
前記表示装置が、前記出力装置から入力される前記選択された解像度の映像信号を前記表示部に表示する表示制御ステップと、
を有することを特徴とするシステムの制御方法。
【手続補正２】
【補正対象書類名】明細書
【補正対象項目名】発明の名称
【補正方法】変更
【補正の内容】
【発明の名称】表示装置、システム、表示装置の制御方法、及び、システムの制御方法
【手続補正３】
【補正対象書類名】明細書
【補正対象項目名】０００１
【補正方法】変更
【補正の内容】
【０００１】
本発明は、表示装置、システム、表示装置の制御方法、及び、システムの制御方法に関する。
【手続補正４】
【補正対象書類名】明細書
【補正対象項目名】００１０
【補正方法】変更
【補正の内容】
【００１０】
そこで、本発明は出力装置の出力モードを自動的且つ簡易に変更することのできる表示装置、システム、表示装置の制御方法、及び、システムの制御方法を提供することを目的とする。
【手続補正５】
【補正対象書類名】明細書
【補正対象項目名】００１１
【補正方法】変更
【補正の内容】
【００１１】
上記目的を達成するために本発明に係る表示装置は、選択可能な複数の解像度のうちのいずれかの解像度で映像信号を出力する出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置であって、前記出力装置から入力される映像信号を前記第２の表示モードで前記表示部に表示する場合に、前記出力装置が選択可能な複数の解像度を示す情報を、前記出力装置から取得する取得手段と、前記出力装置から入力される映像信号を前記表示部に表示する表示サイズに応じて、前記出力装置が選択可能な複数の解像度の中から１つの解像度を選択する選択手段と、前記選択手段により選択された解像度で映像信号を出力するように指示する切り換え情報を、前記出力装置に送信する切り換え情報送信手段と、前記出力装置から入力される前記選択された解像度の映像信号を前記表示部に表示する表示制御手段と、を有することを特徴とする。
また、本発明に係るシステムは、選択可能な複数の解像度のうちのいずれかの解像度で映像信号を出力する出力装置と、当該出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置とを含むシステムであって、前記表示装置は、前記出力装置か
ら入力される映像信号を前記第２の表示モードで前記表示部に表示する場合に、前記出力装置が選択可能な複数の解像度を示す情報を、前記出力装置から取得する取得手段と、前記出力装置から入力される映像信号を前記表示部に表示する表示サイズに応じて、前記出力装置が選択可能な複数の解像度の中から１つの解像度を選択する選択手段と、前記選択手段により選択された解像度で映像信号を出力するように指示する切り換え情報を、前記出力装置に送信する切り換え情報送信手段と、前記出力装置から入力される前記選択された解像度の映像信号を前記表示部に表示する表示制御手段と、を有し、前記出力装置は、前記選択可能な複数の解像度を示す情報を前記表示装置に送信する送信手段と、前記切り換え情報を前記表示装置から受信する受信手段と、前記切り換え情報により指示された解像度で前記表示装置に映像信号を出力する出力手段と、を有することを特徴とする。
また、本発明に係る表示装置の制御方法は、選択可能な複数の解像度のうちのいずれかの解像度で映像信号を出力する出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示する表示装置の制御方法であって、前記出力装置から入力される映像信号を前記第２の表示モードで前記表示部に表示する場合に、前記出力装置が選択可能な複数の解像度を示す情報を、前記出力装置から取得する取得ステップと、前記出力装置から入力される映像信号を前記表示部に表示する表示サイズに応じて、前記出力装置が選択可能な複数の解像度の中から１つの解像度を選択する選択ステップと、前記選択ステップにより選択された解像度で映像信号を出力するように指示する切り換え情報を、前記出力装置に送信する切り換え情報送信ステップと、前記出力装置から入力される前記選択された解像度の映像信号を前記表示部に表示する表示制御ステップと、を有することを特徴とする。
また、本発明に係るシステムの制御方法は、選択可能な複数の解像度のうちのいずれかの解像度で映像信号を出力する出力装置と、当該出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置とを含むシステムの制御方法であって、前記出力装置が、前記選択可能な複数の解像度を示す情報を前記表示装置に送信する送信ステップと、前記表示装置が、前記出力装置から入力される映像信号を前記第２の表示モードで前記表示部に表示する場合に、前記出力装置が選択可能な複数の解像度を示す情報を、前記出力装置から取得する取得ステップと、前記表示装置が、前記出力装置から入力される映像信号を前記表示部に表示する表示サイズに応じて、前記出力装置が選択可能な複数の解像度の中から１つの解像度を選択する選択ステップと、前記表示装置が、前記選択ステップにより選択された解像度で映像信号を出力するように指示する切り換え情報を、前記出力装置に送信する切り換え情報送信ステップと、前記出力装置が、前記切り換え情報を前記表示装置から受信する受信ステップと、前記出力装置が、前記切り換え情報により指示された解像度で前記表示装置に映像信号を出力する出力ステップと、前記表示装置が、前記出力装置から入力される前記選択された解像度の映像信号を前記表示部に表示する表示制御ステップと、を有することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明によれば、出力装置の出力モードを自動的且つ簡易に変更することのできる表示装置、システム、表示装置の制御方法、及び、システムの制御方法を提供することができる。